(57)【要約】【課題】複数の被包装物を上下に並べて積み上げて包装箱に収容する場合でも、緩衝性能を十分に保持した上で、省資源化、低コスト化が図られた包装容器を提供する。【解決手段】包装容器１は、表裏両面の各々に同様の第１収容凹部１０及び第２収容凹部２０を備え、第１の包装容器１Ａに対して、表側に第２の包装容器１Ｂを互いの収容凹部が対向して重なり合うように配置し、各々対向する第１収容凹部１０Ａ及び第２収容凹部２０Ｂによって、第１の包装容器１Ａの表側にローラ状部材１００の第１収容空間３０を形成し、裏側に第３の包装容器１Ｃを互いの収容凹部が対向して重なり合うように配置し、各々対向する第２収容凹部２０Ａ及び第１収容凹部１０Ｃによって、第１の包装容器１Ａの裏側にローラ状部材１００の第２収容空間４０を形成する。これにより、ローラ状部材１００を２段にして積み上げるとき、必要な容器が従来４個であるところ３個で済む。【選択図】図６
2009262962.tif 000002
【特許請求の範囲】
【請求項１】
表裏両面の各々に同様の収容凹部を備えた包装容器であって、
第１の前記包装容器に対して、表側に第２の前記包装容器を、互いの収容凹部が対向して重なり合うように配置し、各々対向する収容凹部によって、第１の包装容器の表側に被包装物の第１収容空間を形成し、裏側に第３の前記包装容器を、互いの収容凹部が対向して重なり合うように配置し、各々対向する収容凹部によって、第１の包装容器の裏側に被包装物の第２収容空間を形成することを特徴とする包装容器。
【請求項２】
シート状部材によって形成され、前記表側の収容凹部の底部の少なくとも一部の、シートを隔てたすぐ裏側に、前記裏側の収容凹部の底部の少なくとも一部が位置することを特徴とする請求項１に記載の包装容器。
【請求項３】
前記収容凹部は、局部的に収容凹部の底部より浅い位置に形成された、被包装物の支持部を備えることを特徴とする請求項１または請求項２に記載の包装容器。
【請求項４】
表裏一方の面の前記収容凹部の前記支持部は、他方の面の収容凹部の底部の深い位置に形成した段差によって構成されていることを特徴とする請求項３に記載の包装容器。
【発明の詳細な説明】
【技術分野】
【０００１】
本発明は、被包装物である物品を包装するための包装箱の内部に配置される包装容器に関する。
【背景技術】
【０００２】
画像形成装置や家庭用電化製品、そしてそれらを構成する機能部材や電子部品等の物品は、通常段ボールなどで構成される包装箱によって包装され、出荷されている。包装箱は、被包装物である物品を段ボール製の箱にすっぽりと収容する形のものが多い。搬送時の衝撃から被包装物を保護するために、緩衝作用のある包装容器を介して包装箱に被包装物を収容する場合も多い。
【０００３】
単一の包装箱に複数の被包装物を収容したり、包装箱と被包装物との間に間隙を設けて収容したりする場合には、包装箱の内部に、包装容器が配置される。この包装容器は、包装箱内の複数の被包装物が互いに衝突したり、包装箱が衝撃を受けて被包装物が大きく移動し、内壁に衝突したりしないように、緩衝作用をもたらすものである。このようにして包装容器は、包装箱内に収容された被包装物を破損から保護している。
【０００４】
上記のような包装容器の例を、特許文献１〜３に見ることができる。特許文献１〜３に記載された包装容器は、略平面形状をなす部材の一方の面に収容凹部が形成された一対の容器で構成され、互いの収容凹部が対向して重なり合うように配置し、各々対向する収容凹部によって被包装物の収容空間を形成している。
【特許文献１】特開平８−５８８６３号公報（第３頁、図１−３）
【特許文献２】特開２００３−１２０３９号公報（第３−４頁、図２−３）
【特許文献３】特開２００６−１７６１５４号公報（第５頁、図２−３）
【発明の開示】
【発明が解決しようとする課題】
【０００５】
特許文献１〜３に記載された包装容器は、被包装物の外形に対応した形状をなす収容凹部が形成された一対の容器を、互いの収容凹部が対向して重なり合うようにして被包装物の収容空間を形成しているので、被包装物を整然と包装することが可能であって、緩衝作用も高められている。しかしながら、この包装容器の場合、複数の被包装物を上下に並べて積み上げて包装箱に収容する必要があるとき、上下一対の容器で構成され、対向し合う互いの収容凹部に被収容物を収容した収容容器を、そのまま積み上げることになる。
【０００６】
すなわち、例えば被包装物を２段にして積み上げるときには４個の容器が、３段にするときには６個の容器が必要になる。したがって、被包装物１段に対して必ず２個の容器を要することになり、容器に掛かる資源やコストが大幅に増大する恐れがある。その結果、昨今推し進められている省資源化、低コスト化に反することとなる。被包装物に対する緩衝性能を十分に保持した上で、できるだけ省資源化、低コスト化が図られた形で包装容器を構成する必要がある。
【０００７】
本発明は上記の点に鑑みなされたものであり、包装箱の内部に配置され、被包装物を収容する包装容器において、複数の被包装物を上下に並べて積み上げて包装箱に収容する場合でも、緩衝性能を十分に保持した上で、省資源化、低コスト化が図られた包装容器を提供することを目的とする。
【課題を解決するための手段】
【０００８】
上記の課題を解決するため、本発明は、表裏両面の各々に同様の収容凹部を備えた包装容器であって、第１の前記包装容器に対して、表側に第２の前記包装容器を、互いの収容凹部が対向して重なり合うように配置し、各々対向する収容凹部によって、第１の包装容器の表側に被包装物の第１収容空間を形成し、裏側に第３の前記包装容器を、互いの収容凹部が対向して重なり合うように配置し、各々対向する収容凹部によって、第１の包装容器の裏側に被包装物の第２収容空間を形成することとした。
【０００９】
また、上記構成の包装容器は、シート状部材によって形成され、前記表側の収容凹部の底部の少なくとも一部の、シートを隔てたすぐ裏側に、前記裏側の収容凹部の底部の少なくとも一部が位置することとした。
【００１０】
また、上記構成の包装容器において、前記収容凹部は、局部的に収容凹部の底部より浅い位置に形成された、被包装物の支持部を備えることとした。
【００１１】
また、上記構成の包装容器において、表裏一方の面の前記収容凹部の前記支持部は、他方の面の収容凹部の底部の深い位置に形成した段差によって構成されていることとした。
【発明の効果】
【００１２】
本発明の構成によれば、包装容器は、表裏両面の各々に同様の収容凹部を備え、第１の包装容器に対して、表側に第２の包装容器を、互いの収容凹部が対向して重なり合うように配置し、各々対向する収容凹部によって、第１の包装容器の表側に被包装物の第１収容空間を形成し、裏側に第３の包装容器を、互いの収容凹部が対向して重なり合うように配置し、各々対向する収容凹部によって、第１の包装容器の裏側に被包装物の第２収容空間を形成することとしたので、例えば被包装物を２段にして積み上げるときに必要な容器が従来４個であるところ３個で済み、３段にするときに必要な容器が従来６個であるところ４個で済む。これにより、複数の被包装物を上下に並べて積み上げて包装箱に収容することができ、且つ搬送時の衝撃から保護することができる包装容器を形成するにあたって、容器に掛かる資源やコストを大幅に抑制することが可能である。したがって、被包装物に対する緩衝性能を十分に保持した上で、省資源化、低コスト化が図られた包装容器を得ることができる。
【００１３】
また、前記包装容器は、シート状部材によって形成され、前記表側の収容凹部の底部の少なくとも一部の、シートを隔てたすぐ裏側に、前記裏側の収容凹部の底部の少なくとも一部が位置することとしたので、包装容器の表裏に形成される収容凹部の間隔をできるだけ狭くすることができる。これにより、包装容器のコンパクト化を図ることができる。したがって、被包装物を保護する作用を十分考慮しながら、省資源化、低コスト化を一層高めることができる。
【００１４】
また、前記収容凹部は、局部的に収容凹部の底部より浅い位置に形成された、被包装物の支持部を備えることとしたので、この支持部で、被包装物をしっかりと保持することができる。したがって、包装容器の省資源化、低コスト化を十分考慮しながら、被包装物に対する緩衝性能を一層向上させることが可能になる。
【００１５】
また、表裏一方の面の前記収容凹部の前記支持部は、他方の面の収容凹部の底部の深い位置に形成した段差によって構成されていることとしたので、別途他の部材を用いることなく、包装容器の一部を利用して、被包装物に対する緩衝性能の向上を図ることが可能である。したがって、被包装物を保護する作用を十分考慮しながら、省資源化を一層高めることができる。
【発明を実施するための最良の形態】
【００１６】
以下、本発明の実施形態を図１〜図６に基づき説明する。
【００１７】
最初に、本発明の実施形態に係る包装容器について、図１〜図４を用いてその構成を説明する。図１は包装容器全体の斜視図、図２は図１と同様の包装容器の斜視図にして、側面方向から見た垂直断面を描画したもの、図３は包装容器の垂直断面正面図、図４は包装容器の垂直断面側面図である。なお、図２及び図４は図１の平面II、IVの箇所における垂
直断面図を、図３は図１の平面IIIの箇所における垂直断面図を描画している。
【００１８】
包装容器１は、図１に示すように、その外形が直方体形状をなしている。そして、包装容器１は、図２〜図４に示すように、その表側である上面側に第１収容凹部１０を、裏側である底面側に第２収容凹部２０を備えている。なお、包装容器１は、ポリスチレンなどの合成樹脂でできたシート状部材を真空成形するなどして、その全体が一体として作られている。
【００１９】
第１収容凹部１０は、包装容器１の上面から下方に向かって窪んだ凹部である。第１収容凹部１０は、被包装物であるローラ状部材（図５及び図６参照）を収容するためのものであって、ローラ状部材の軸線方向長さに対応する長手方向長さと、ローラ状部材の直径より僅かに広い幅と、ローラ状部材の半径より深い深さとをそれぞれ有し、軸線が略水平になるようにしたローラ状部材の下半分を収容可能な大きさをなしている。
【００２０】
第１収容凹部１０の長手方向の両端部には、被包装物の支持部１１が備えられている。支持部１１は、第１収容凹部１０の、その対応する箇所が、局部的に第１収容凹部１０の底部１２より浅くなった位置に形成されている。支持部１１の深さは、ローラ状部材の半径にほぼ一致する深さを有している。
【００２１】
一方、第２収容凹部２０は、包装容器１の底面から上方に向かって窪んだ凹部である。そして、第２収容凹部２０も、第１収容凹部１０と同様に、被包装物であるローラ状部材を収容するためのものであって、ローラ状部材に対して第１収容凹部１０とほぼ同じ構成、寸法をなしている。第２収容凹部２０の長手方向の両端部には、第１収容凹部１０の支持部１１と同様の、被包装物の支持部２１が備えられている。
【００２２】
このように包装容器１の上面に形成された第１収容凹部１０と、底面に形成された第２収容凹部２０とに関して、図２〜図４に示すように、第１収容凹部１０の底部１２の、包装容器１を構成するシートを隔てたすぐ裏側に、第２収容凹部２０の底部２２が位置している。
【００２３】
また、図２及び図４に示すように、第１収容凹部１０の２箇所の支持部１１のうち一方は第２収容凹部２０の底部２２より深い位置に形成した段差２３によって構成され、第２収容凹部２０の２箇所の支持部２１のうち一方は第１収容凹部１０の底部１２より深い位置に形成した段差１３によって構成されている。
【００２４】
そして、第１収容凹部１０において、ローラ状部材の両端面に対向する２箇所の壁部１４の一方は、第２収容凹部２０に形成した段差２３よりさらに深い位置に形成した段差２５によって構成され、段差２５の外底面が包装容器１の上面と面一になっている。第２収容凹部２０において、ローラ状部材の両端面に対向する２箇所の壁部２４の一方は、第１収容凹部１０に形成した段差１３よりさらに深い位置に形成した段差１５によって構成され、段差１５の外底面が包装容器１の底面と面一になっている。
【００２５】
次に、包装容器１による被包装物であるローラ状部材の包装状態について、図５及び図６を用いて説明する。図５は被包装物を上下２段にして包装した状態を示す包装容器の垂直断面正面図、図６は被包装物を上下２段にして包装した状態を示す包装容器の垂直断面側面図である。
【００２６】
図５及び図６に示すように、被包装物であるローラ状部材１００を２本、上下２段にして包装する場合、必要な包装容器１は３個である。なお、図５及び図６では、３個の包装容器１及びその構成要素に対して各々「Ａ」「Ｂ」「Ｃ」の識別記号を付し、例えば包装容器１は第１の包装容器１Ａ、第２の包装容器１Ｂ、及び第３の包装容器１Ｃと表記している。
【００２７】
第１の包装容器１Ａに対して、表側である上面側に第２の包装容器１Ｂを配置している。このとき、第１の包装容器１Ａ及び第２の包装容器１Ｂは、第１の包装容器１Ａの第１収容凹部１０Ａと、第２の包装容器１Ｂの第２収容凹部２０Ｂとが対向して重なり合うようにする。そのため、第１の包装容器１Ａに対して、上面側に第２の包装容器１Ｂを配置するとき、第２の包装容器１Ｂの前後、すなわち図６において左右を逆にするように、横方向に１８０°回転させ、配置している。これにより、各々対向する第１収容凹部１０Ａ及び第２収容凹部２０Ｂによって、第１の包装容器１Ａの表側にローラ状部材１００の第１収容空間３０を形成することができる。
【００２８】
同様に、第１の包装容器１Ａに対して、裏側である底面側に第３の包装容器１Ｃを配置している。このとき、第１の包装容器１Ａ及び第３の包装容器１Ｃは、第１の包装容器１Ａの第２収容凹部２０Ａと、第３の包装容器１Ｃの第１収容凹部１０Ｃとが対向して重なり合うようにする。そのため、第１の包装容器１Ａに対して、底面側に第３の包装容器１Ｃを配置するとき、第３の包装容器１Ｃの前後、すなわち図６において左右を逆にするように、横方向に１８０°回転させ、配置している。これにより、各々対向する第２収容凹部２０Ａ及び第１収容凹部１０Ｃによって、第１の包装容器１Ａの裏側にローラ状部材１００の第２収容空間４０を形成することができる。
【００２９】
このようにして、上下３段にして積み重ねられた包装容器１Ａ、１Ｂ、及び１Ｃは、その外形寸法が、直方体形状をなす包装箱２００の内部にぴったりと収まるように積み上げられている。
【００３０】
上記のように、包装容器１は、表裏両面の各々に同様の第１収容凹部１０及び第２収容凹部２０を備え、第１の包装容器１Ａに対して、表側に第２の包装容器１Ｂを、互いの収容凹部が対向して重なり合うように配置し、各々対向する第１収容凹部１０Ａ及び第２収容凹部２０Ｂによって、第１の包装容器１Ａの表側に被包装物であるローラ状部材１００の第１収容空間３０を形成し、裏側に第３の包装容器１Ｃを、互いの収容凹部が対向して重なり合うように配置し、各々対向する第２収容凹部２０Ａ及び第１収容凹部１０Ｃによって、第１の包装容器１Ａの裏側にローラ状部材１００の第２収容空間４０を形成したので、ローラ状部材１００を２段にして積み上げるときに必要な容器が従来４個であるところ３個で済む。これにより、２本のローラ状部材１００を上下に並べて積み上げて包装箱２００に収容することができ、且つ搬送時の衝撃から保護することができる包装容器１を形成するにあたって、容器に掛かる資源やコストを大幅に抑制することが可能である。したがって、ローラ状部材１００に対する緩衝性能を十分に保持した上で、省資源化、低コスト化が図られた包装容器１を得ることができる。
【００３１】
また、包装容器１は、シート状部材によって形成され、表側である上面の、第１収容凹部１０の底部１２の一部の、シートを隔てたすぐ裏側に、裏側である底面の、第２収容凹部２０の底部２２の一部が位置しているので、包装容器１の表裏に形成される第１収容凹部１０及び第２収容凹部２０の間隔をできるだけ狭くすることができる。これにより、包装容器１のコンパクト化を図ることができる。したがって、ローラ状部材１００を保護する作用を十分考慮しながら、省資源化、低コスト化を一層高めることができる。
【００３２】
そして、第１収容凹部１０及び第２収容凹部２０は、局部的に各々の収容凹部の底部１２、２２より浅い位置に形成された、ローラ状部材１００の支持部１１、２１を備えているので、この支持部１１、２１で、ローラ状部材１００をしっかりと保持することができる。したがって、包装容器１の省資源化、低コスト化を十分考慮しながら、ローラ状部材１００に対する緩衝性能を一層向上させることが可能になる。
【００３３】
さらに、第１収容凹部１０または第２収容凹部２０の各々の支持部１１、２１は、他方の面の収容凹部の底部１２、２２の深い位置に形成した段差１３、２３によって構成されているので、別途他の部材を用いることなく、包装容器１の一部を利用して、ローラ状部材１００に対する緩衝性能の向上を図ることが可能である。したがって、ローラ状部材１００を保護する作用を十分考慮しながら、省資源化を一層高めることができる。
【００３４】
以上、本発明の実施形態につき説明したが、本発明の範囲はこれに限定されるものではなく、発明の主旨を逸脱しない範囲で種々の変更を加えて実施することができる。
【産業上の利用可能性】
【００３５】
本発明は、被包装物である物品を包装するための包装箱の内部に配置される包装容器全般において利用可能である。
【図面の簡単な説明】
【００３６】
【図１】本発明の実施形態に係る包装容器全体の斜視図である。
【図２】図１と同様の包装容器の斜視図にして、側面方向から見た垂直断面を描画したものである。
【図３】図１の包装容器の垂直断面正面図である。
【図４】図１の包装容器の垂直断面側面図である。
【図５】被包装物を上下２段にして包装した状態を示す包装容器の垂直断面正面図である。
【図６】被包装物を上下２段にして包装した状態を示す包装容器の垂直断面側面図である。
【符号の説明】
【００３７】
１  包装容器
１０  第１収容凹部
１１  支持部
１２  底部
１３  段差
１４  壁部
１５  段差
２０  第２収容凹部
２１  支持部
２２  底部
２３  段差
２４  壁部
２５  段差
１００  ローラ状部材（被包装物）
２００  包装箱
【図１】
2009262962.tif 000003
【図２】
2009262962.tif 000004
【図３】
2009262962.tif 000005
【図４】
2009262962.tif 000006
【図５】
2009262962.tif 000007
【図６】
2009262962.tif 000008